(57)【特許請求の範囲】
【請求項１】
画像データの色補正または色変換を行う画像データの色変換装置であって、
入力画像データに対して第１の色変換を行う第１の色変換手段と、
上記第１の色変換手段により出力された画像データの特定の領域に対して、上記第１の色変換手段により行われる上記第１の色変換を相殺するように補正された補正信号を加算することにより、第２の色変換を行う第２の色変換手段と、
キー信号を上記第１の色変換手段に供給される上記画像データから生成するキー信号発生手段とを有することを特徴とする画像データの色変換装置。
【請求項２】
請求の範囲第１項記載の画像データの色変換装置において、
上記第１の色変換手段により行われる上記第１の色変換を相殺するように補正された補正信号を上記第２の色変換手段で使用することにより、上記第１の色変換手段により行われる上記画像データの色変換の影響を受けないようにすることを特徴とする画像データの色変換装置。
【請求項３】
請求の範囲第１項記載の画像データの色変換装置において、
上記キー信号発生手段は、上記キー信号を生成する色の座標方向を指定する色座標回転手段を有することを特徴とする画像データの色変換装置。
【請求項４】
画像データの色補正または色変換を行う画像データの色変換方法であって、
入力画像データに対して第１の色変換を施し、
入力画像データからキー信号を生成し、
第１の色変換を施された画像データの特定の領域に対して、第１の色変換を相殺するように補正された補正信号を加算することにより第２の色変換を施し、
特定の色の領域のみの色変換を施すようにしたことを特徴とする画像データの色変換方法。
【請求項５】
請求の範囲第４項記載の画像データの色変換方法において、
上記補正信号は、上記特定の色の画像データから上記第１の色変換を施された画像データを引いた色の領域を示す画像データをキー信号に乗算するものであることを特徴とする画像データの色変換方法。
【請求項６】
請求の範囲第４項記載の画像データの色変換方法において、
上記第１の色変換を施す第１の色変換パラメータおよび上記特定の色の第２の色変換を施す第２の色変換パラメータは入力手段から入力されることを特徴とする画像データの色変換方法。
【請求項７】
入力画像データに色変換を行う画像データの色変換装置において、
第１の色変換パラメータ、第２の色変換パラメータ及び色指定パラメータとを夫々入力するパラメータ入力手段と、
上記入力画像データに対して第１の色変換を行う第１の色変換手段と、
上記入力画像データの上記色指定パラメータによって指定された色を有する領域を示すキー信号を発生するキー信号発生手段と、
上記第１の色変換手段から出力された出力画像データの上記キー信号で示される領域に対して第２の色変換を行う第２の色変換手段と、
上記第１の色変換が上記第１の色変換パラメータに対応した色変換となるように、上記第１の色変換手段に第１の制御信号を供給すると共に、上記第２の色変換が上記第２の色変換パラメータに対応した色変換から上記第１の色変換を相殺した色変換となるように、上記第２の色変換手段に第２の制御信号を供給する制御手段とを備えたことを特徴とする画像データの色変換装置。
【請求項８】
請求の範囲第７項記載の画像データの色変換装置において、
上記制御手段は、上記入力画像データ及び上記第１の制御信号を記憶する記憶手段を有したことを特徴とする画像データの色変換装置。
【請求項９】
請求の範囲第８項記載の画像データの色変換装置において、
上記制御手段は、上記記憶手段に記憶された上記入力画像データ及び上記第１の制御信号と、上記操作パネルから入力された上記第２の色変換パラメータに基づいて、上記第２の制御信号を生成することを特徴とする画像データの色変換装置。
【請求項１０】
請求の範囲第７項記載の画像データの色変換装置において、
上記制御手段は、Ｙ3−Ｙ2，Ｕ3−Ｕ2及びＶ3−Ｖ2でそれぞれ表される複数の色変換データＹ0，Ｕ0，Ｖ0を演算する演算手段を備え、上記第２の制御信号は、上記複数の色変換データに基づいて生成されることを特徴とする画像データの色変換装置。
但し、Ｙ2，Ｕ2，Ｖ2：第１の色変換手段の出力画像データを示す。
Ｙ3，Ｕ3，Ｖ3：第２の色変換手段の出力画像データを示す。
【請求項１１】
請求の範囲第１０項記載の画像データの色変換装置において、
上記第２の色変換手段は、上記キー信号と上記複数の色変換データとを乗算する乗算手段と、上記乗算手段からの出力信号と上記第１の色変換手段からの出力画像データとを加算する加算手段とを備えたことを特徴とする画像データの色変換装置。
【請求項１２】
請求の範囲第１０項記載の画像データの色変換装置において、
上記複数の色変換データＹ0，Ｕ0及びＶ0は、
Ｙ0＝（α’−α）Ｙ1
Ｕ0＝Ｕ1（β’ｃｏｓφ−βｃｏｓθ）＋Ｖ1（β’ｓｉｎφ−βｓｉｎθ）
Ｖ0＝Ｕ1（−β’ｓｉｎφ＋βｓｉｎθ）＋Ｖ1（β’ｃｏｓφ−βｃｏｓθ）
で表されることを特徴とする画像データの色変換装置。
但し、Ｙ1，Ｕ1，Ｖ1：入力画像データ
α：第１の色変換手段における輝度成分（Ｙ）に対するゲイン係数
β：第１の色変換手段における色信号成分（Ｕ，Ｖ）に対するゲイン係数
θ：Ｕ1，Ｖ1からＵ2，Ｖ2への色変換における色座標の回転角
α’：第２の色変換手段における輝度成分（Ｙ）に対するゲイン係数
β’：第２の色変換手段における色信号成分（Ｕ，Ｖ）に対するゲイン係数
φ：Ｕ1，Ｖ1からＵ3，Ｖ3への色変換における色座標の回転角
とする。
【発明の詳細な説明】
技術分野
この発明は、例えば、ビデオ信号をスイッチャーにより合成する際の画像の色変換に用いる画像データの色変換装置および画像データの色変換方法に関する。
背景技術
従来、映像信号の編集過程において、カメラ等から供給された映像信号は、色変換回路に供給される。色変換回路は、映像信号に色変換を施す回路である。
色変換回路により色変換を施された映像信号は、スイッチャーに供給される。スイッチャーにより合成されたビデオ出力信号を、記録ＶＴＲに供給されてビデオテープに記録することにより、色変換を施したビデオ信号を記録したビデオテープを得ることができる。
スイッチャーは、色変換を施された映像信号に、ワイプ、ミックス等により映像信号を合成するものである。ここで、ワイプは、ある画像を特定のパターンでぬぐい去るように消しながら、あるいは画面から押し出しながら、同時に他の画像を挿入していくものである。ミックスは、ある画像をフェードアウトさせながら、同時に他の画像をフェードインさせるものである。スイッチャーにより合成された映像信号は図示しない記録ＶＴＲに供給される。
ここで、前述の色変換回路には、大きく分けて２つの色変換が存在する。１つは、入力映像信号の全域に対して、全て同じ色変換を行う第１の色変換回路である。例えば、入力映像信号に対して、全体的に赤みがかった色に補正したいときなどが、この色変換に当てはまる。他方は、入力映像信号における特定の色を指定して、その特定色に対してのみ、色変換を行う第２の色変換回路である。例えば、入力映像信号における赤みがかった色（特定の色）を領域として、その領域の色をより彩度の高い赤い色に補正したいときなどがこの変換に当てはまる。
このような、２つの色変換を行うためには、第１の色変換回路の後段に第２の色変換回路を接続することが考えられる。この場合、第１の色変換回路によって色変換が施された出力信号は、入力映像信号に対して色変換が行われている信号である。しかし、その第１の色変換回路の出力信号には既に色変換が行われているので、第２の色変換回路によって特定の色を指定したときに、その特定の色を正確に指定することができない。言い換えると、第２の色変換回路における特定の色の指定が、第１の色変換回路の出力結果に影響されて、正確に行うことができないことになる。
以下に、一例として上述の例で説明する。第１の色変換回路の出力信号は、入力映像信号に対して全体的に赤みがかった信号となっている。その赤みがかった信号を入力した第２の色変換回路において、特定の色となる赤みがかった色を指定すると、本来指定されるべき領域でなかった領域までも、指定されることになってしまう。
また、さらに分かり易く説明するために以下に特殊な例を考える。例えば、第１の色変換回路において、色成分を無くして白黒の映像信号となるように色変換する。すると、後段の第２の色変換回路に入力される映像信号は、色成分が含まれていないので、第２の色変換回路によって、特定の色を指定することができない。すなわち、第２の色変換回路によって、色変換ができないことになる。
このように、入力映像信号に対して全体的な色変換を行う第１の色変換回路と特定の色に色変換を行う第２の色変換回路を備えた場合、第１の色変換回路の後段に第２の色変換回路を接続すると、後段の第２の色変換回路によって正確な色変換が行えないことがあった。
この発明は、前段の第１の色変換回路による色変換の影響を受けずに、後段の第２の色変換回路によって、第１の色変換回路から出力された画像データに対して正確に色変換を行うことのできる色変換装置の提供を目的とする。
発明の開示
この第１の発明の画像データの色変換装置は、画像データの色補正または色変換を行う画像データの色変換装置であって、入力画像データに対して第１の色変換を行う第１の色変換手段と、第１の色変換手段により出力された画像データの特定の領域に対して、第１の色変換手段により行われる第１の色変換を相殺するように補正された補正信号を加算することにより、第２の色変換を行う第２の色変換手段と、キー信号を第１の色変換手段に供給される画像データから生成するキー信号発生手段とを有するものである。
この第１の発明によれば、第１の色変換手段により画像データに対して第１の色変換を行い、第２の色変換手段により、第１の色変換手段から出力された画像データに特定の領域に対して、第１の色変換手段により行われる第１の色変換を相殺するように補正された補正信号を加算することにより、第２の色変換を行い、キー信号発生手段によりキー信号を第１の色変換手段に供給される画像データから生成するので、後段の特定色の色変換手段の出力結果が前段の画像全体の色変換手段の出力結果に影響されないようにすることができる。
また、この第２の発明の画像データの色変換装置は、第１の色変換手段により行われる画像データの第１の色変換を相殺するように補正された補正信号を第２の色変換手段で使用することにより、第１の色変換手段により行われる画像データの色変換の影響を受けないようにするものである。
また、この第２の発明によれば、第１の色変換手段により生れれる画像データの第１の色変換を相殺するように補正された補正信号を第２の色変換手段で使用することにより、第１の色変換手段により行われる画像データの色変換の影響を受けないようにするので、画像全体の色変換と、特定の色に対する色変換を同時に行うことができ、しかも、互いに影響を与えないようにすることができる。
また、この第３の発明の画像データの色変換装置は、キー信号発生手段は、キー信号を生成する色の座標方向を指定する色座標回転手段を有するものである。
また、この第３の発明によれば、キー信号発生手段は、キー信号を生成する色の座標方向を指定する色座標回転手段を有するので、キー信号を発生させたい色の方向に、色空間を表す座標軸を合わせるように回転させることができる。
また、この第４の発明の画像データの色変換方法は、画像データの色補正または色変換を行う画像データの色変換方法であって、入力画像データに対して第１の色変換を施し、第１の色変換により出力された画像データからキー信号を生成し、第１の色変換をされた画像データに特定の領域に対して、第１の色変換手段により行われる第１の色変換を相殺するように補正された補正信号を加算することにより第２の色変換を行い、特定の色の領域のみの色変換を施すようにしたものである。
また、この第４の発明によれば、後段の特定色の色変換の出力結果が前段の画像全体の色変換の出力結果に影響されないようにすることができる。
また、この第５の発明の画像データの色変換方法は、補正信号は、特定の色の画像データから変換画像データを引いた色の領域を示す画像データをキー信号に乗算するものである。
また、この第５の発明によれば、特定の色の画像データから変換画像データを引いた色の領域を示す画像データを生成することにより、容易に補正信号を生成することができる。
また、この第６の発明の画像データの色変換方法は、画像データの画像全体に色変換を施す第１の色変換データおよび上記特定の色の画像データは入力手段から入力されるものである。
また、この第６の発明によれば、特定の色の画像データを入力することにより、容易に補正信号を生成するための画像データを生成することができる。
また、この第７の発明の画像データの色変換装置は、入力画像データに色変換を行う画像データの色変換装置において、第１の色変換パラメータ、第２の色変換パラメータ及び色指定パラメータとを夫々入力するパラメータ入力手段と、上記入力画像データに対して上記第１の色変換を行う第１の色変換手段と、上記入力画像データの上記色指定パラメータによって指定された色を有する領域を示すキー信号を発生するキー信号発生手段と、上記第１の色変換手段から出力された出力画像データの上記キー信号で示される領域に対して第２の色変換を行う第２の色変換手段と、上記第１の色変換が上記第１の色変換パラメータに対応した色変換となるように、上記第１の色変換手段に第１の制御信号を供給すると共に、上記第２の色変換が上記第２の色変換パラメータに対応した色変換から上記第１の色変換を相殺した色変換となるように、上記第２の色変換回路に第２の制御信号を供給する制御手段とを備えたものである。
また、この第７の発明によれば、第１の色変換パラメータ、第２の色変換パラメータ及び色指定パラメータとを夫々入力して制御することにより、また第８〜第１２の発明も同様に、所望の色を指定して、後段の特定色の色変換の出力結果が前段の画像全体の色変換の出力結果に影響されないようにすることができる。
【図面の簡単な説明】
第１図は、この発明の画像データの色変換装置の一実施例の構成を示すブロック図である。
第２図は、この発明の画像データの色変換装置の一実施例の色変換回路１０および色変換回路２０の詳細な構成を示す回路図である。
第３図は、この発明の画像データの色変換装置の一実施例のキー信号発生回路３０の詳細な構成を示す回路図である。
第４図は、この発明の画像データの色変換装置の一実施例の座標回転回路５０の動作を示す図である。
第５図は、この発明の画像データの色変換装置の一実施例のキープロセスのオフセットよび絶対値の動作を示す図である。
第６図は、この発明の画像データの色変換装置の一実施例のキープロセスのオフセットおよびゲインの動作を示す図である。
第７図は、この発明の画像データの色変換装置の一実施例のキープロセスのリミット動作を示す図である。
第８図は、この発明の画像データの色変換装置の一実施例の色空間におけるキー信号を示す図である。
第９図は、この発明の画像データの色変換装置の一実施例の制御例を示す図である。
発明を実施するための最良の形態
この発明の画像データの色変換装置は、この例においては、特に、第１の色変換パラメータ、第２の色変換パラメータ及び色指定パラメータとを夫々入力し、入力画像データに対して第１の色変換を行い、入力画像データの色指定パラメータによって指定された色を有する領域を示すキー信号を発生させ、第１の色変換を施された出力画像データのキー信号で示される領域に対して第２の色変換を行い、第１の色変換が第１の色変換パラメータに対応した色変換となるように第１の色変換を制御すると共に、第２の色変換が第２の色変換パラメータに対応した色変換から第１の色変換を相殺した色変換となるように第２の色変換を制御することにより、後段の特定色の色変換を行う第２の色変換回路の出力結果が前段の画像全体の色変換を行う第１の色変換回路の出力結果に影響されないようにするものである。
第１図は、この発明の画像データの色変換装置の一実施例の構成を示すブロック図である。まず、この画像データの色変換装置の構成を説明する。この画像データの色変換装置は、入力画像データに対して全体的に同じ色変換を施す第１の色変換回路１０と、第１の色変換回路１０から出力された画像データに特定の色の領域のみの色変換を施す第２の色変換回路２０とを有する。また、この画像データの色変換装置は、入力画像データに基づいてキー信号を生成するキー信号発生回路３０と、第１の色変換回路１０と第２の色変換回路２０とキー信号発生回路３０とに夫々制御信号を供給する制御回路４０と、第１の色変換回路１０によって行う色変換を示す第１の色変換パラメータ、第２の色変換回路２０による特定の領域のみの色変換を示すための第２の色変換パラメータ及び、キー信号発生回路３０によって指定される特定の色を指定するための色指定パラメータ等を入力する操作パネル４２を有している。また、制御回路４０は、入力画像データ１及び第１の色変換パラメータを記憶するためのメモリ４１を有している。
ここで、第１の色変換回路１０は第１の色変換手段、第２の色変換回路２０は第２の色変換手段、キー信号発生回路３０はキー信号発生手段、制御回路４０は制御手段、メモリ４１は記憶手段、操作パネル４２は入力手段をそれぞれ構成する。
次に、このように構成された画像データの色変換装置の動作を説明する。入力画像データ１は、まず最初に第１の色変換回路１０に供給される。オペレーターは操作パネル４２を操作して第１の色変換回路１０に第１の色変換パラメータを入力する。第１の色変換パラメータは制御回路４０に供給される。制御回路４０から第１の色変換回路１０に第１の色変換パラメータに基づく制御信号６が供給される。第１の色変換回路１０は、制御信号６により入力画像データ１に対して全体的に色変換を施す。そして、第１の色変換回路１０により全体的に色変換を施された画像データ２は第２の色変換回路２０に供給される。また、第１の色変換回路１０によって行われた色変換を示すために、入力画像データ１、第１の色変換パラメータは、メモリ４１に供給される。
次に、オペレーターは操作パネル４２を操作して、第２の色変換パラメータ及び色指定パラメータを入力する。オペレータ０は、入力画像データからさらに変換された画像データ３を得るために必要な色変換パラメータとして、この第２の色変換パラメータを入力する。つまり、この第２の色変換パラメータは、入力画像データ１からさらに変換された画像データ３を得るための色変換を示す色変換パラメータであって、第２の色変換回路で行われる第２の色変換を示す色変換、即ち、色変換された画像データ２からさらに色変換された画像データ３得るための色変換を示す色変換パラメータではない。また、オペレーターは、キー信号発生回路３０によって発生されるキー信号を決定するための特定の色を示すための色指定パラメータを入力する。
制御回路４０は、操作パネル４２から入力された色指定パラメータに基づいて、特定の色を示すためのキー制御信号５を発生する。また、制御回路４０は、そのキー制御信号をキー信号発生回路３０に供給する。
入力画像データは、第１の色変換回路１０に供給されると共に、キー信号発生回路３０にも供給される。キー信号発生回路３０は、制御回路４０から供給されるキー制御信号に基づいて、キー信号４を発生する。このキー信号４は、キー制御信号５によって指定された特定の色を有する領域を示す信号である。発生されたキー信号４は、第２の色変換回路２０に供給される。
制御回路４０は、メモリ４１に記憶された入力画像データ及び第１の色変換パラメータと操作パネル４２から入力された第２の色変換パラメータとに基づいて、第２の制御信号７を生成する。ここで、この第２の制御信号７は、第２の色変換パラメータに対応した色変換を示す制御信号ではない点を注意すべきである。つまり、この第２の制御信号７は、第２の色変換パラメータに対応した色変換から第１の色変換を相殺した色変換を示す制御信号である。
第２の色変換回路２０には、第１の色変換回路１０から出力された色変換された画像データ２と、キー信号発生回路３０から出力されたキー信号４とが供給される。また、制御回路４０からは、第２の制御信号７が供給される。この第２の色変換回路２０は、キー信号４によって指定される領域に対して、第２の制御信号によって指定される色変換で（Ｙ0，Ｕ0，Ｖ0）を乗算することによって補正信号を生成する。つまり、この補正信号は、キー信号によって指定される領域のみに、第２の制御信号によって指定される色変換データ（Ｙ0，Ｕ0，Ｖ0）を有している平面状のデータである。次に、この補正信号は、第１の色変換回路１０から供給された色変換された画像データ２に加算される。
これによって、キー信号４で示される領域にのみ第２の色変換を行うことができる。また、この第２の色変換は、第２の色変換パラメータに対応した色変換から第１の色変換を相殺した色変換である。従って、第１の色変換回路１０の影響をうけずに、第２の色変換パラメータで指定した色変換を行うことができる。
第２図は、この発明の画像データの色変換装置の一実施例の第１の色変換回路１０および第２の色変換回路２０の詳細な構成を示す回路図である。なお、第２図においては、第１図に示した制御回路４０は省略する。まず、この第１の色変換回路１０および第２の色変換回路２０の構成を説明する。第１の色変換回路１０は、ゲイン係数αのゲインを有するゲインレジスタ１１１と、ゲイン係数βと色変換データｓｉｎθをかけたゲインを有するゲインレジスタ１１２と、ゲイン係数βと色変換データｃｏｓθをかけたゲインを有するゲインレジスタ１１３と、ゲイン係数βと色変換データ−ｓｉｎθをかけたゲインを有するゲインレジスタ１１４と、ゲイン係数βと色変換データｓｉｎθをかけたゲインを有するゲインレジスタ１１５とを有する。
また、第１の色変換回路１０は、コンポーネント信号Ｙ1の画像データとゲインレジスタ１１１のゲインとを乗算する乗算器１１と、コンポーネント信号Ｖ1の画像データとゲインレジスタ１１２のゲインとを乗算する乗算器１２と、コンポーネント信号Ｕ1の画像データとゲインレジスタ１１３のゲインとを乗算する乗算器１３と、コンポーネント信号Ｕ1の画像データとゲインレジスタ１１４のゲインとを乗算する乗算器１４と、コンポーネント信号Ｖ1の画像データとゲインレジスタ１１５のゲインとを乗算する乗算器１５と、乗算器１２の出力と乗算器１３の出力とを加算する加算器１６と、乗算器１４の出力と乗算器１５の出力とを加算する加算器１７とを有する。なお、ゲインレジスタ１１１、ゲインレジスタ１１２、ゲインレジスタ１１３、ゲインレジスタ１１４およびゲインレジスタ１１５の各ゲインデータは、制御回路４０によって、操作パネル４２から入力された第１の色変換パラメータに基づいてそれぞれ演算され、制御回路４０によって各ゲインデータがそれぞれ供給される。
第２の色変換回路２０は、Ｙ0で示される色変換データが供給されるゲインレジスタ１２１と、Ｕ0で示される色変換データが供給されるゲインレジスタ１２２と、Ｖ0で示される色変換データが供給されるゲインレジスタ１２３とを有する。なお、ゲインレジスタ１２１、ゲインレジスタ１２２およびゲインレジスタ１２３に供給される色変換データ（Ｙ0、Ｕ0、Ｖ0）は、メモリ４１に記憶された入力画像データ及び第１の色変換パラメータと操作パネル４２から入力された第２の色変換パラメータとに基づいて生成された第２の制御信号７による色変換を示すデータである。
また、第２の色変換回路２０は、キー信号４とゲインレジスタ１２１のゲインＹ0とを乗算する乗算器２１と、キー信号４とゲインレジスタ１２２のゲインＵ0とを乗算する乗算器２２と、キー信号４とゲインレジスタ１２３のゲインＶ0とを乗算する乗算器２３とを有する。また、第２の色変換回路２０は、第１の色変換回路１０から出力されるコンポーネント信号Ｙ2と乗算器２１の出力とを加算する加算器２４と、コンポーネント信号Ｕ2と乗算器２２の出力とを加算する加算器２５と、コンポーネント信号Ｖ2と乗算器２３の出力とを加算する加算器２６とを有する。
次に、このように構成された第１の色変換回路１０および第２の色変換回路２０の動作を説明する。第２図において、画像データとしてのコンポーネント信号Ｙ1，Ｕ1，Ｖ1は、第１の色変換回路１０の乗算器１１、１３、１５に供給される。コンポーネント信号Ｙ1，Ｕ1，Ｖ1は、Ｙ，Ｒ−Ｙ，Ｂ−Ｙで表される信号である。この信号は、Ｒ，Ｇ，Ｂの信号でもよい。
ゲインレジスタ１１１はコンポーネント信号Ｙ1のゲインαを乗算器１１に供給する。ゲインレジスタ１１３はコンポーネント信号Ｕ1のゲインβｃｏｓθを乗算器１３に供給する。ゲインレジスタ１１５はコンポーネント信号Ｖ1のゲインβｓｉｎθを乗算器１５に供給する。
また、コンポーネント信号Ｖ1は乗算器１２に供給される。ゲインレジスタ１１２はコンポーネント信号Ｕ1およびＶ1のゲインβｓｉｎθを乗算器１２に供給する。乗算器１２および１３の出力は加算器１６に供給され、加算される。コンポーネント信号Ｕ1は乗算器１４に供給される。ゲインレジスタ１１４はコンポーネント信号Ｖ1およびＵ1のゲイン−βｓｉｎθを乗算器１４に供給する。乗算器１４および１５の出力は加算器１７に供給され、加算される。
ここで、色変換行列Ａを
0003787662.tif 000002
とすると、この第１の色変換回路１０によって示される色変換は、
0003787662.tif 000003
という式で表現することができる。この式（１）は、輝度成分に関する変換であって、係数αを乗算することによってコンポーネント信号の輝度成分（Ｙ）のゲインを変更していることを意味している。また、この式（２）は、明度、彩度及び色相の各軸から構成される３次元色座標における色点を、色相平面上でθだけ回転することによってコンポーネント信号の色成分（クロマ）を回転して色相を変更し、βを乗算することによって色成分のゲインを変えて彩度を変更していることを意味している。
なお、第１の色変換回路１０における色変換に用いられる色変換行列Ａは、オペレーターが第１図に示した操作パネル４２を操作することにより、第１の色変換回路１０に対して指定された第１の色変換パラメーターに基づいて制御回路４０によって演算される。
すなわち、乗算器１１およびゲインレジスタ１１１によって輝度成分Ｙ1のゲインの変更を行う。また、乗算器１２、１３、１４、１５および加算器１６、１７によって、上述した２×２の行列演算Ａを色成分Ｕ1およびＶ1に施すことで、色成分のゲインの調整を行うことができる。
即ち、この第１の色変換回路１０は、このコンポーネント信号の輝度成分Ｙ1とコンポーネント信号の色成分Ｕ1およびＶ1のゲインをそれぞれ変更することによって第１の色変換を行う。
次に、第１の色変換回路１０において、第１の色変換が行われたコンポーネント信号Ｙ2，Ｕ2，Ｖ2は、第２の色変換回路２０の加算器２４、２５、２６に供給される。
また、後述するキー信号発生回路３０からのキー信号４は乗算器２１、２２、２３にそれぞれ供給される。ゲインレジスタ１２１はコンポーネント信号Ｙ2の色変換データＹ0を乗算器２１に供給する。ゲインレジスタ１２２はコンポーネント信号Ｕ2の色変換データＵ0を乗算器２２に供給する。ゲインレジスタ１２３はコンポーネント信号Ｖ2の色変換データＶ0を乗算器２３に供給する。キー信号４にそれぞれ色変換データ（Ｙ0、Ｕ0、Ｖ0）を乗算した乗算器２１、２２、２３の出力は補正信号となる。この補正信号は、それぞれ加算器２４、２５、２６に供給され、コンポーネント信号Ｙ2，Ｕ2，Ｖ2と加算される。
つまり、第２の色変換回路２０においては、キー信号４にＹ0、Ｕ0、Ｖ0をそれぞれ乗じて補正信号を生成する。そして、コンポーネント信号Ｙ2，Ｕ2，Ｖ2にこの補正信号をそれぞれ加えることによって第２の色変換を行う。これにより、キー信号４の存在する色の領域にのみ作用する第２の色変換を行ったコンポーネント信号Ｙ3，Ｕ3，Ｖ3を出力することができる。
また、この第２の色変換は、第２の色変換パラメータに対応した色変換から第１の色変換を相殺した色変換である。従って、第１の色変換回路１０の色変換の影響を受けずに、第２の色変換パラメータで指定した色変換を正確に行うことができる。つまり、入力画像データＹ1，Ｕ1，Ｖ1から出力画像データＹ3，Ｕ3，Ｖ3への色変換と、第２の色変換パラメータで指定した色変換は一致することになる。
第３図は、この発明の画像データの色変換装置の一実施例のキー信号発生回路３０の詳細な構成を示す回路図である。なお、第３図においては、第１図に示した制御回路４０は省略する。まず、このキー信号発生回路３０の構成を説明する。キー信号発生回路３０は、キー信号を発生させたい色の座標軸の方向にコンポーネント信号Ｕ1，Ｖ1の各座標軸を回転させる座標回転回路５０と、キー信号を発生させたい色を原点としてキー信号を発生させたい色の領域の幅や傾きを作成するキープロセス回路３１と、キープロセス回路３１からの出力のうちの最大値を出力するＮＡＭ回路３６と、ＮＡＭ回路３６の出力を反転させる反転回路３７とを有する。
座標回転回路５０は、色変換データｓｉｎθ’のゲインが供給されるゲインレジスタ１５１と、色変換データｃｏｓθ’のゲインが供給されるゲインレジスタ１５２と、色変換データ−ｓｉｎθ’のゲインが供給されるゲインレジスタ１５３と、色変換データｃｏｓθ’のゲインが供給されるゲインレジスタ１５４とを有する。
また、座標回転回路５０は、コンポーネント信号Ｖ1の画像データとゲインレジスタ１５１のゲインとを乗車する乗算器５１と、コンポーネント信号Ｕ1の画像データとゲインレジスタ１５２のゲインとを乗算する乗算器５２と、コンポーネント信号Ｕ1の画像データとゲインレジスタ１５３のゲインとを乗算する乗算器５３と、コンポーネント信号Ｖ1の画像データとゲインレジスタ１５４のゲインとを乗算する乗算器５４と、乗算器５１の出力と乗算器５２の出力とを加算する加算器５５と、乗算器５３の出力と乗算器５４の出力とを加算する加算器５６とを有する。なお、ゲインレジスタ１５１、ゲインレジスタ１５２、ゲインレジスタ１５３およびゲインレジスタ１５４に供給される各ゲインは、操作パネル４２から入力された色指定パラメータに基づいて生成されたキー制御信号５によって指定される。
キープロセス回路３１は、コンポーネント信号Ｙ1，Ｕ1，Ｖ1のそれぞれの系統について同様の回路を有しいる。キープロセス回路３１は、コンポーネント信号Ｙ1’について座標軸の原点と指定された色の点とを一致させるオフセット値ＯLを有するオフセットレジスタ１３１Ａと、コンポーネント信号Ｕ1’について座標軸の原点と指定された色の点とを一致させるオフセット値ＯSを有するオフセットレジスタ１３１Ｂと、コンポーネント信号Ｖ1’について座標軸の原点と指定された色の点とを一致させるオフセット値ＯHを有するオフセットレジスタ１３１Ｃと、コンポーネント信号Ｙ1’とオフセットレジスタ１３１Ａのオフセット値ＯLとを加算する加算器３１Ａと、コンポーネント信号Ｕ1’とオフセットレジスタ１３１Ｂのオフセット値ＯSとを加算する加算器３１Ｂと、コンポーネント信号Ｖ1’とオフセットレジスタ１３１Ｃのオフセット値ＯHとを加算する加算器３１Ｃとを有する。
また、キープロセス回路３１は、オフセットされたコンポーネント信号Ｙ1’について出力がすべて正になるように変換する絶対値回路３２Ａと、オフセットされたコンポーネント信号Ｕ1’について出力がすべて正になるように変換する絶対値回路３２Ｂと、オフセットされたコンポーネント信号Ｖ1’について出力かすべて正になるように変換する絶対値回路３２Ｃとを有する。
また、キープロセス回路３１は、絶対値に変換されたコンポーネント信号Ｙ1’について指定された色の原点の幅を指定するオフセット値ＣLを有するオフセットレジスタ１３３Ａと、絶対値に変換されたコンポーネント信号Ｕ1’について指定された色の原点の幅を指定するオフセット値ＣSを有するオフセットレジスタ１３３Ｂと、絶対値に変換されたコンポーネント信号Ｖ1’について指定された色の原点の幅を指定するオフセット値ＣHを有するオフセットレジスタ１３３Ｃと、絶対値に変換されたコンポーネント信号Ｙ1’とオフセットレジスタ１３３Ａのオフセット値ＣLとを加算する加算器３３Ａと、絶対値に変換されたコンポーネント信号Ｕ1’とオフセットレジスタ１３３Ｂのオフセット値ＣSとを加算する加算器３３Ｂと、絶対値に変換されたコンポーネント信号Ｖ1’とオフセットレジスタ１３３Ｃのオフセット値ＣHとを加算する加算器３３Ｃとを有する。
また、キープロセス回路３１は、オフセットされたコンポーネント信号Ｙ1’について指定された色の領域を明確にするために傾きをつけるためのゲインＧLを有するゲインレジスタ１３４Ａと、オフセットされたコンポーネント信号Ｕ1’について指定された色の領域に傾きをつけるためのゲインＧSを有するゲインレジスタ１３４Ｂと、オフセットされたコンポーネント信号Ｖ1’について指定された色の領域に傾きをつけるためのゲインＧHを有するゲインレジスタ１３４Ｃと、オフセットされたコンポーネント信号Ｙ1’とゲインレジスタ１３４ＡのゲインＧLとを乗算する乗算器３４Ａと、オフセットされたコンポーネント信号Ｕ1’とゲインレジスタ１３４ＢのゲインＧSとを乗算する乗算器３４Ｂと、オフセットされたコンポーネント信号Ｖ1’とゲインレジスタ１３４ＣのゲインＧHとを乗算する乗算器３４Ｃとを有する。
また、キープロセス回路３１は、指定された色の領域に傾きをつけられたコンポーネント信号Ｙ1’を０から１の間の値に変換するリミッタ３５Ａと、指定された色の領域に傾きをつけられたコンポーネント信号Ｕ1’を０から１の間の値に変換するリミッタ３５Ｂと、指定された色の領域に傾きをつけられたコンポーネント信号Ｖ1’を０から１の間の値に変換するリミッタ３５Ｃとを有する。
次に、このように構成されたキー信号発生回路３０の動作を説明する。第３図において、画像データとしてのコンポーネント信号Ｙ1は、そのままコンポーネント信号Ｙ1’としてキー信号発生回路３０の加算器３１Ａに供給される。
ここで、コンポーネント信号Ｕ1，Ｖ1は座標回転回路５０内の乗算器５２、５４にそれぞれ供給される。ゲインレジスタ１５２はコンポーネント信号Ｕ1についての色変換データｃｏｓθ’のゲインを乗算器５２に供給する。回転角レジスタ１５４はコンポーネント信号Ｕ1およびＶ1についての色変換データｃｏｓθ’のゲインを乗算器５４に供給する。また、コンポーネント信号Ｖ1は乗算器５１に供給される。回転角レジスタ１５１はコンポーネント信号Ｖ1およびＵ1についての色変換データｓｉｎθ’のゲインを乗算器５１に供給する。乗算器５１および５２の出力は加算器５５に供給され、加算されてコンポーネント信号Ｕ1’として出力される。コンポーネント信号Ｕ1は乗算器５３に供給される。回転角レジスタ１５３はコンポーネント信号Ｖ1についての色変換データ−ｓｉｎθ’のゲインを乗算器５３に供給する。乗算器５３および５４の出力は加算器５６に供給され、加算されてコンポーネント信号Ｖ1’として出力される。
ここで、色変換行列Ｋを
0003787662.tif 000004
とすると、この座標変換回路５０によって示される座標変換は、
0003787662.tif 000005
という式で表現することができる。この式（３）は、明度、彩度および色相の各軸から構成される３次元色座標における、彩度軸及び色相軸の両軸を回転角θ’度だけ彩度−色相平面に平行に回転させることを意味している。また、この回転角θ’は、操作パネル４２から入力された色指定パラメータによって指定された色が、変換されたＵ’軸上に位置するように演算される。つまり、第４図において示されるように、オペレーターによってキー信号として抜き出すために指定された色４３の方向にＵ軸が位置するように、θ’度だけＵおよびＶ軸が回転される。
また、指定した色の点４３がＵ軸上に位置するように回転させる動作を、別の表現で言い換えると、指定した色の点４３に対して色相の成分が無くなるようにオフセットを与えるための動作であると言える。よって、第４図においては、Ｙ’Ｕ’Ｖ’座標系における指定された点４３の色相は０で、Ｙ’Ｕ’Ｖ’座標系における指定された点４３の彩度は原点からの距離で表されることになる。
次に、オフセットレジスタ１３１Ａは加算器３１Ａにコンポーネント信号Ｙ1’のオフセット値ＯLを供給する。加算器３１Ａは、オフセット値ＯLにより、コンポーネント信号Ｙ1’の座標軸の原点を指定された色の点に一致させる。オフセットレジスタ１３１Ｂはコンポーネント信号Ｕ1’のオフセット値ＯSを加算器３１Ｂに供給する。加算器３１Ｂは、オフセット値ＯSにより、コンポーネント信号Ｕ1’の座標軸の点を指定された色の原点に一致させる。オフセットレジスタ１３１Ｃはコンポーネント信号Ｖ1’のオフセット値ＯHを加算器３１Ｃに供給する。加算器３１Ｃは、オフセット値ＯHにより、コンポーネント信号Ｖ1’の座標軸の原点を指定された色の点に一致させる。
加算器３１Ａの出力は絶対値回路（ＡＢＳ）３２Ａに供給される。加算器３１Ｂの出力は絶対値回路（ＡＢＳ）３２Ｂに供給される。加算器３１Ｃの出力は絶対値回路（ＡＢＳ）３２Ｃに供給される。
本実施例においては、Ｙ’Ｕ’Ｖ’座標系における輝度成分Ｙ1’は、座標回転回路５０によって変換を受けていないので、ＯLを加えることにより輝度成分Ｙ1’を０とすることができる。即ち、第４図で示されるＹ座標（図面裏面から表面の方向）の原点が、指定された色４３を含むＵ−Ｖ面に含まれるようにオフセット動作が行われる。
また、Ｙ’Ｕ’Ｖ’座標系における色成分Ｕ1’は、第４図に示されるように、Ｙ’Ｕ’Ｖ’座標の原点から点４３までの距離で表すことができる。また、Ｙ’Ｕ’Ｖ’座標系における色成分Ｖ1’は、第４図に示されるように、点４３がＵ’軸上に存在するので、０である。従って、この色成分Ｕ1’が彩度を表し、この色成分Ｖ1’が色相を表すことになる。
よって、色成分Ｕ1’にオフセット値ＯSを加えることによって、色成分Ｕ1’を０とすることができる。即ち、第４図で示されるように、指定された点４３に、Ｖ’軸が変換されたＶ”軸となるようにオフセット動作が行われる。また、色成分Ｖ1’はオフセットを加えるまでもなく既に０となっているので、この実施例におけるオフセット値ＯHは０である。
ただし、座標回転回路５０は省略することが可能であるので、座標回転回路５０を省略した場合には、コンポーネント信号Ｙ1，Ｕ1，Ｖ1の３次元空間となるので、コンポーネント信号Ｖ1についてＶ”軸を指定している色４３を原点に含むように移動することを指定するために、加算器３１Ｃおよびオフセットレジスタ１３１Ｃを使用する。
第５図は、この発明の画像データの色変換装置の一実施例のオフセットおよび絶対値の動作を示す図である。第５図において、コンポーネント信号Ｙ1’、Ｕ1’、Ｖ1’について、それぞれ入力に対して出力が０になるようにオフセットを与えた後に、絶対値をとり、負の部分を折り返す。つまり、点線部分からオフセット動作５７を与えて実線部分に変換し、さらに絶対値動作（ＡＢＳ）５８を行って出力がすべて正になるように折り返す。
次に絶対値の変換をされたコンポーネント信号Ｙ1’、Ｕ1’、Ｖ1’について指定された色の点に対する幅および色の領域に対する傾きを指定する動作を説明する。ここで、色に対する幅とは、指定された色の点を中心として、どれだけ近傍の色までをキー信号として使用するかを決定するための幅であり、また、色の領域に対する傾きとは、ディジタル信号１で示されるキー領域とディジタル信号０で示されるそれ以外の領域との境界を決定するための傾きである。絶対値回路（ＡＢＳ）３２Ａ、３２Ｂ、３２Ｃの出力は加算器３３Ａ、３３Ｂ、３３Ｃにそれぞれ供給される。また、オフセットレジスタ１３３Ａは加算器３３Ａにコンポーネント信号Ｙ1’のオフセット値ＣLを供給する。加算器３３Ａは、オフセット値ＣLにより、絶対値の変換をされたコンポーネント信号Ｙ1’について指定された色の点に対する幅を指定する。オフセットレジスタ１３３Ｂはコンポーネント信号Ｕ1’のオフセット値ＣSを加算器３３Ｂに供給する。加算器３３Ｂは、オフセット値ＣSにより、絶対値の変換をされたコンポーネント信号Ｕ1’について指定された色の点に対する幅を指定する。オフセットレジスタ１３３Ｃはコンポーネント信号Ｖ1’のオフセット値ＣHを加算器３３Ｃに供給する。加算器３３Ｃは、オフセット値ＣHにより、絶対値の変換をされたコンポーネント信号Ｖ1’について指定された色の点に対する幅を指定する。
また、加算器３３Ａ、３３Ｂ、３３Ｃの出力は乗算器３４Ａ、３４Ｂ、３４Ｃにそれぞれ供給される。ゲインレジスタ１３４Ａは乗算器３４Ａにコンポーネント信号Ｙ1’のゲインＧ1を供給する。乗算器３４Ａは、ゲインＧLにより、オフセットされたコンポーネント信号Ｙ1’に傾きをつける。ゲインレジスタ１３４Ｂはコンポーネント信号Ｕ1’のゲインＧSを乗算器３４Ｂに供給する。乗算器３４Ｂは、ゲインＧSにより、オフセットされたコンポーネント信号Ｕ1’に傾きをつける。ゲインレジスタ１３４Ｃはコンポーネント信号Ｖ1’のゲインＧHを乗算器３４Ｃに供給する。乗算器３４Ｃは、ゲインＧHにより、オフセットされたコンポーネント信号Ｖ1’に傾きをつける。
第６図は、この発明の画像データの色変換装置の一実施例のキー信号として指定された色の原点の幅および傾きを指定する動作を示す図である。第６図において上述したキープロセスのオフセットおよびゲインの動作を示す。第６図において、点線部分をオフセット動作６０を付与することにより実線部分に変換して、入力軸を横切る幅を指定し、さらにゲイン動作６１を付与することにより出力軸方向に引き延ばされ、傾きがつけられる。
次に、乗算器３４Ａ、３４Ｂ、３４Ｃの出力はリミッタ３５Ａ、３５Ｂ、３５Ｃにそれぞれ供給される。第７図はキープロセスのリミット動作を示す図である。第７図において、第６図に示したゲイン動作により得られた点線部分は、実線部分で示すように、０から１の間の値を持つようなキー信号に変換される。キー信号６２は第５図に示した絶対値の動作により求めた中心６３と、第６図に示したオフセットおよびゲインの動作により求めた幅６４および傾き６５を有する。
このようにして、キープロセス回路を構成する加算器３１Ａ、３１Ｂ、３１Ｃ、絶対値回路３２Ａ、３２Ｂ、３２Ｃ、加算器３３Ａ、３３Ｂ、３３Ｃ、乗算器３４Ａ、３４Ｂ、３４Ｃ、リミッタ３５Ａ、３５Ｂ、３５Ｃによって、コンポーネント信号Ｙ1’、Ｕ1’、Ｖ1’がそれぞれ第７図に示すキー信号６２に変換される。次に、リミッタ３５Ａ、３５Ｂ、３５Ｃの出力はＮＡＭ回路３６に供給される。ＮＡＭ回路３６は、リミッタ３５Ａ、３５Ｂ、３５Ｃから供給されたキー信号６２を合成する。ＮＡＭ回路３６は、リミッタ３５Ａ、３５Ｂ、３５Ｃから供給されたキー信号６２のうちの最大値を出力する回路である。
従って、ＮＡＭ回路３６により合成されたキー信号は、色空間のＬ，Ｓ，Ｈまたは第３図に示すようにコンポーネント信号Ｙ，Ｕ，Ｖの３次元空間において、指定された色６６を中心に持つ直方体６７として表すことができる。つまり、この直方体６７の一辺の長さが、指定された色に対する幅となっている。また、ＮＡＭ回路３６からの出力によって示される領域は、この直方体６７の外部で示される領域である。
ＮＡＭ回路３６により合成されたキー信号は、反転回路３７に供給される。反転回路３７は、キー信号の０と１の部分とを入れ替える回路である。つまり、入力をｋ、出力をｋ’とすると、ｋ’＝１−ｋの関係となる。反転回路３７から出力されるキー信号４は第２図に示した第２の色変換回路２０に供給される。これにより、色変換を行いたい部分の色の領域で０から１の値を有するキー信号を発生させて、第２の色変換回路２０に供給することができる。
このように、キー信号４は、第１の色変換回路１０に供給される色変換が施されていないコンポーネント信号Ｙ1，Ｕ1，Ｖ1から作られているので、第１の色変換回路１０の影響を受けることがない。従って、第１の色変換回路１０において、どんな色変換を行っても、第２の色変換回路２０で行う色変換の色の領域が変わることがない。このように構成することにより、色変換の制御を変えることで異なった画面効果を得ることができるようになった。
第９図は、この発明の画像データの色変換装置の一実施例の制御例を示す図である。この例においては、特に、第２の色変換回路２０において、キー信号４に乗じる色変換データＹ0、Ｕ0、Ｖ0をそれぞれ、第１の色変換回路１０において行われている色変換を相殺するように演算する。これによって、キー信号で示される領域の色だけ、前段の第１の色変換回路１０の影響を受けないようにすることができる。
第９図において、一例として、キー信号を作り出す色を円の領域（Ｙ1，Ｕ1，Ｖ1）７０、それ以外の領域を（ＹD，ＵD，ＶD）７５としたとき、第１の色変換回路１０によって例えば円の領域は（Ｙ2，Ｕ2，Ｖ2）７１、それ以外の領域は（ＹE，ＵE，ＶE）７６に変換される。なお、この円の領域７１及びそれ以外の領域７６は共に、第１の色変換回路１０によって同じ第１の色変換がされる。また、（Ｙ1，Ｕ1，Ｖ1）７０からキー信号発生回路３０によって斜線部分の０以外の円の領域の１で示すキー信号４が生成される。このキー信号４が点線で示す第２の色変換回路２０の乗算器２１〜２３に供給される。ここで、色変換データとして（Ｙ0、Ｕ0、Ｖ0）＝（Ｙ3−Ｙ2，Ｕ3−Ｕ2，Ｖ3−Ｖ2）７２を付与すれば、キー信号４で示される領域に対して、この色変換データが乗算器２１、２２、２３により乗算される。
これにより、キー信号で指定された円の領域に指定された色を有する平面状の補正信号（Ｙ3−Ｙ2，Ｕ3−Ｕ2，Ｖ3−Ｖ2）７３が生成される。補正信号（Ｙ3−Ｙ2，Ｕ3−Ｕ2，Ｖ3−Ｖ2）７３はキー信号によって領域が指定されているので、加算器２４、２５、２６において円の領域の（Ｙ2、Ｕ2、Ｖ2）７１と加算される。従って、本来（Ｙ1，Ｕ1，Ｖ1）７０であった円の領域は、補正信号によって円の領域（Ｙ3，Ｕ3，Ｖ3）７４となる。それ以外の領域（ＹE，ＵE，ＶE）７６はそのまま出力される。従って、この円の領域は第１の色変換回路１０の影響を受けないことになる。
以下に、オフセットデータ（Ｙ0、Ｕ0、Ｖ0）の値を求める。第１の色変換回路１０における（Ｙ1，Ｕ1，Ｖ1）７０から（Ｙ2，Ｕ2，Ｖ2）７１への第１の色変換に用いられる色変換行列Ａを、
0003787662.tif 000006
とすると、この第１の色変換回路１０によって示される色変換は、
0003787662.tif 000007
と表すことができる。
なお、このゲイン係数α、ゲイン係数β及び色変換行列Ａの各値は、操作パネル４３から入力された第１の色変換パラメータに基づいて決定される。
次に、第１の色変換回路１０および第２の色変換回路２０による（Ｙ1，Ｕ1，Ｖ1）７０から（Ｙ3，Ｕ3，Ｖ3）７４への第２の色変換に用いられる色変換行列Ｂを、
0003787662.tif 000008
とすると、第２の色変換回路２０によって行われる第２の色変換は以下の数式で表される。
0003787662.tif 000009
なお、このゲイン係数α’、ゲイン係数β’及び色変換行列Ｂの各値は、操作パネル４３から入力された第２の色変換パラメータに基づいて決定される。また、第１の色変換が行われると、メモリ４１には、ゲイン係数α’、ゲイン係数β’及び色変換行列Ｂの各値及び入力画像データＹ1，Ｕ1，Ｖ1が記憶されている。
つぎに、制御回路４０は、操作パネルから入力されたゲイン係数αとメモリに記憶されたゲイン係数α及び入力画像データＹ1とから色変換データＹ0を演算する。この色変換データＹ0の値は、数式（４）及び（６）より、
Ｙ0＝Ｙ3−Ｙ2
＝α’Ｙ1−αＹ1
＝（α’−α）Ｙ1
となる。従って、制御回路４０は、この演算された色変換データＹ0をゲインレジスタ１２１に供給する。
同様に、制御回路４０は、操作パネルから入力されたゲイン係数α、ゲイン係数β、色変換行列Ａの各値とメモリ４１に記憶されたゲイン係数α、ゲイン係数β、色変換行列Ａの各値及び入力画像データＵ1，Ｖ1とから色変換データＵ0を演算する。この色変換データＵ0の値は、数式（５）および（７）より、
Ｕ0＝Ｕ3−Ｕ2
＝Ｕ1β’ｃｏｓφ−Ｖ1β’ｓｉｎφ−Ｕ1βｃｏｓθ−Ｖ1βｓｉｎθ
＝Ｕ1（β’ｃｏｓφ−βｃｏｓθ）−Ｖ1（β’ｓｉｎφ−βｓｉｎθ）
となる。従って、制御回路４０は、この演算された色変換データＵ0をゲインレジスタ１２２に供給する。
同様に、制御回路４０は、操作パネルから入力されたゲイン係数α、ゲイン係数β、色変換行列Ａの各値とメモリ４１に記憶されたゲイン係数α、ゲイン係数β、色変換行列Ａの各値及び入力画像データＵ1，Ｖ1とから色変換データＶ0を演算する。この色変換データＶ0の値は、数式（５）および（７）より、
Ｖ0＝Ｖ3−Ｖ2
＝−Ｕ1β’ｓｉｎφ＋Ｖ1β’ｃｏｓφ＋Ｕ1βｓｉｎθ−Ｖ1βｃｏｓθ
＝Ｕ1（−β’ｓｉｎφ＋βｓｉｎθ）＋Ｖ1（β’ｃｏｓφ−βｃｏｓθ）
となる。従って、制御回路４０は、この演算された色変換データＶ0をゲインレジスタ１２２に供給する。
また、上例において、第２図における後段の第２の色変換回路２０におけるキー信号４に乗じる色変換データＹ0、Ｕ0、Ｖ0をそれぞれ、前段の第１の色変換回路１０において行われている第１の色変換を盛り込んだ値にするように制御することにより、前段の第１の色変換回路１０および後段の第２の色変換回路２０の物理的な位置が入れ替わったように動作させるようにして良い。すなわち、特定の色を変換した後に、あたかもそれを含めた全体の画像の色変換を行っているようにすることができる。
また、第２図に示したゲインレジスタ１１１、１１２、１１３、１１４、１１５、１２１、１２２、１２３、第３図に示したゲインレジスタ１５１、１５２、１５３、１５４、オフセットレジスタ１３１Ａ、１３１Ｂ、１３１Ｃ、１３３Ａ、１３３Ｂ、１３３Ｃ、ゲインレジスタ１３４Ａ、１３４Ｂ、１３４Ｃは、それぞれ第１図に示した制御回路４０によってコントロールされていることはいうまでもない。
また、上例では、第２図において、第１の色変換回路１０における第１の色変換は、線形変換としたが、例えば、ガンマ補正等の非線形変換としても良い。
また、上例では、第２図および第３図において、画像データとしてコンポーネント信号Ｙ1，Ｕ1，Ｖ1を用いる例を示したが、ＲＧＢ信号やコンポジット信号を用いても同様の構成で同様の作用をすることができる。
上例によれば、第１図において、第１の色変換手段としての第１の色変換回路１０により入力画像データに対して第１の色変換を行い、第２の色変換手段としての第２の色変換回路２０により第１の色変換手段により出力された画像データの特定の領域に対して、第１の色変換手段により行われる第１の色変換を相殺するように補正された補正信号を加算することにより第２の色変換を行い、キー信号発生手段としてのキー信号発生回路３０によりキー信号４を第１の色変換手段としての第１の色変換回路１０に供給される画像データから生成するので、後段の特定色の色変換手段としての第２の色変換回路２０の出力結果が前段の画像全体の色変換手段としての第１の色変換回路１０の出力結果に影響されないようにすることができる。
また、上例によれば、第６図において、第１の色変換手段としての第１の色変換回路１０により行われる第１の色変換を相殺するように補正された補正信号を第２の色変換手段としての第２の色変換回路２０で使用することにより、第１の色変換手段としての第１の色変換回路１０により行われる画像データの色変換の影響を受けないようにするので、画像全体の色変換と、特定の色に対する色変換を同時に行うことができ、しかも、互いに影響を与えないようにすることができる。
また、上例によれば、第３図において、キー信号発生手段としてのキー信号発生回路３０は、キー信号４を生成する色の座標方向を指定する色座標回転手段としての座標回転回路５０を有するので、第４図に示したように、キー信号４を発生させたい色の方向に、色空間を表す座標軸を合わせるように回転させることができる。
また、上例によれば、第９図に示すように、画像データの色補正または色変換を行う画像データの色変換方法であって、入力画像データに対して第１の色変換を施し、入力画像データからキー信号を生成し、第１の色変換を施された画像データの特定の領域に対して、第１の色変換を相殺するように補正された補正信号を加算することにより第２の色変換を施し、入力画像データからキー信号４を生成し、第１の色変換を施された画像データに特定の色の領域を示すキー信号４を乗じた補正信号７３を加算することにより、特定の色の領域７４のみの第２の色変換を施すようにするので、後段の特定色の第２の色変換の出力結果が前段の画像全体の第１の色変換の出力結果に影響されないようにすることができる。
また、上例によれば、第９図に示すように、補正信号７３は、特定の色の画像データから第１の色変換を施された画像データを引いた色の領域を示す画像データをキー信号４に乗算したものであるので、特定の色の画像データから第１の色変換を施された画像データを引いた色の領域を示す画像データを生成することにより、容易に補正信号７３を生成することができる。
また、上例によれば、第１図に示すように、画像データの画像全体に第１の色変換を施す第１の色変換パラメータおよび特定の色の第２の色変換を施す第２の色変換パラメータは入力手段としての操作パネル４２から入力されるので、第１の色変換パラメータおよび第２の色変換パラメータを入力することにより、容易に補正信号を生成するための画像データを生成することができる。
また、上例によれば、第１図に示すように、第１の色変換パラメータ、第２の色変換パラメータ及び色指定パラメータとを夫々入力して制御することにより、所望の色を指定して、後段の特定色の色変換の出力結果が前段の画像全体の色変換の出力結果に影響されないようにすることができる。
この発明によれば以下の効果を奏する。
この発明の画像データの色変換装置によれば、第１の色変換手段により入力画像データに対して第１の色変換を行い、第２の色変換手段により第１の色変換手段により出力された画像データの特定の領域に対して、第１の色変換手段により行われる第１の色変換を相殺するように補正された補正信号を加算することにより、第２の色変換を行い、キー信号発生手段によりキー信号を第１の色変換手段に供給される画像データから生成するので、後段の特定色の色変換を行う第２の色変換手段の出力結果が前段の画像全体の色変換を行う第１の色変換回路の出力結果に影響されないようにすることができる。
また、この発明の画像データの色変換装置によれば、上述において、第１の色変換手段により行われる第１の色変換を相殺するように補正された補正信号を第２の色変換手段で使用することにより、第１の色変換手段により行われる画像データの色変換の影響を受けないようにするので、画像全体の色変換と、特定の色に対する色変換を同時に行うことができ、しかも、互いに影響を与えないようにすることができる。
また、この発明の画像データの色変換装置によれば、上述において、キー信号発生手段は、キー信号を生成する色の座標方向を指定する色座標回転手段を有するので、キー信号を発生させたい色の方向に、色空間を表す座標軸を合わせるように回転させることができる。
また、この発明の画像データの色変換方法は、画像データの色補正または色変換を行う画像データの色変換方法であって、入力画像データに対して第１の色変換を施し、入力画像データからキー信号を生成し、第１の色変換を施された画像データの特定の領域に対して、第１の色変換を相殺するように補正された補正信号を加算することにより第２の色変換を施し、特定の色の領域のみの色変換を施すようにするので、後段の特定色の色変換の出力結果が前段の画像全体の色変換の出力結果に影響されないようにすることができる。
また、この発明の画像データの色変換方法は、上述において、補正信号は、特定の色の画像データから第１の色変換を施された画像データを引いた色の領域を示す画像データをキー信号に乗算するので、特定の色の画像データから第１の色変換を施された画像データを引いた色の領域を示す画像データを生成することにより、容易に補正信号を生成することができる。
また、この発明の画像データの色変換方法は、上述において、画像データの画像全体に第１の色変換を施す第１の色変換パラメータおよび特定の色に第２の色変換を施す第２の色変換パラメータは入力手段から入力されるものであるので、第１の色変換パラメータおよび第２の色変換パラメータを入力することにより、容易に補正信号を生成するための画像データを生成することができる。
また、この発明の画像データの色変換装置によれば、第１の色変換パラメータ、第２の色変換パラメータ及び色指定パラメータとを夫々入力して制御することにより、所望の色を指定して、後段の特定色の色変換の出力結果が前段の画像全体の色変換の出力結果に影響されないようにすることができる。
産業上の利用可能性
以上のように、この発明の画像データの色変換装置および画像データの色変換方法によれば、画像データに対して色変換を行うカラーコレクターに用いるのに適している。
【図１】
0003787662.tif 000010
【図２】
0003787662.tif 000011
【図３】
0003787662.tif 000012
【図４】
0003787662.tif 000013
【図５】
0003787662.tif 000014
【図６】
0003787662.tif 000015
【図７】
0003787662.tif 000016
【図８】
0003787662.tif 000017
【図９】
0003787662.tif 000018
0003787662.tif 000019